(57)【要約】      （修正有）【課題】散熱嵌め輪の内側に設けられるフック位置決めみぞが絶縁スリーブ上のフックに配合されることによって、散熱嵌め輪が絶縁スリーブに固定連結されて、簡単な構造と、よい固定効果を持つフック連結式ランプソケットを提供する。【解決手段】１つの散熱嵌め輪１を有し、当散熱嵌め輪１の内側に少なくとも一個のフック位置決めみぞが設けられて、１つの絶縁スリーブ２を有し、当絶縁スリーブ２の外径が前記散熱嵌め輪の内径より小さく設けられ、当絶縁スリーブ２にフック位置決めみぞの数に対応するフック２１を設ける。当フック２１が絶縁スリーブ２の径に上方向に向いて弾力性を有して設けられて、且つ前記フック位置決めみぞに固定連結され、当フック２１の内側に１つのみぞが設けられて、１つの電気回路制御素子３を有し、当電気回路制御素子が前記みぞに挿し込めて電気信号が制御されることによって構成される。【選択図】図４
0003173330.tif 000002
【実用新案登録請求の範囲】
【請求項１】
１つの散熱嵌め輪を有し、当散熱嵌め輪の内側に少なくとも一個のフック位置決めみぞが設けられて、１つの絶縁スリーブを有し、当絶縁スリーブの外径が前記散熱嵌め輪の内径より小さく設けられ、当絶縁スリーブにフック位置決めみぞの数に対応するフックが設けられ、当フックが絶縁スリーブの径に上方向に向いて弾力性的に設けられて且つ前記フック位置決めみぞに固定連結され、当フックの内側に１つのみぞが設けられて、１つの電気回路制御素子を有し、当電気回路制御素子が前記みぞに挿し込めて電気信号が制御されるようにしたことを特徴とするフック連結式ランプソケット。
【請求項２】
前記少なくとも一個のフック位置決めみぞが２つのフック位置決めみぞに設けられるようにしたことを特徴とする請求項１記載のフック連結式ランプソケット。
【請求項３】
前記フック位置決めみぞが前記散熱嵌め輪の内側に対称的に設置されるようにしたことを特徴とする請求項１記載のフック連結式ランプソケット。
【請求項４】
前記散熱嵌め輪の外径面に複数の突起立てが設けられるようにしたことを特徴とする請求項１記載のフック連結式ランプソケット。
【請求項５】
前記絶縁スリーブの外側に複数のブロックが設けられ、各ブロックの間に穴が設けられ、前記突起立てが当穴に挿し込めて連結されるようにしたことを特徴とする請求項４記載のフック連結式ランプソケット。
【請求項６】
前記電気回路制御素子がＰＣＢ電気回路板に設けられるようにしたことを特徴とする請求項１記載のフック連結式ランプソケット。
【考案の詳細な説明】
【技術分野】
【０００１】
本考案は照明装置に関し、特にフック連結式ランプソケットに関連する。
【背景技術】
【０００２】
現在、ランプソケットの製造プロセスでは各部品の組立に対して固定接着剤を使って、例えば絶縁接着剤で電気回路板が絶縁筒の上に接着される。其の中のある部品を故障すれば、ランプソケットを全部に交換しなければならなく、使用コストが高い。又、ランプは照明している過程中に熱量を産生するために接着剤の性能に影響され、ハイパワーの、長く照明されるランプを製造するのに適用しない。
【考案の概要】
【考案が解決しようとする課題】
【０００３】
本考案は前記従来技術の技術問題が解決しようとするフック連結式ランプソケットを提供する。
【課題を解決するための手段】
【０００４】
１つの散熱嵌め輪を有し、当散熱嵌め輪の内側に少なくとも一個のフック位置決めみぞが設けられて、１つの絶縁スリーブを有し、当絶縁スリーブの外径が前記散熱嵌め輪の内径より小さく設けられ、当絶縁スリーブにフック位置決めみぞの数に対応するフックが設けられ、当フックが絶縁スリーブの径に上方向に向いて弾力性的に設けられて且つ前記フック位置決めみぞに固定連結され、当フックの内側に１つのみぞが設けられて、１つの電気回路制御素子を有し、当電気回路制御素子が前記みぞに挿し込めて電気信号が制御される。
【０００５】
本考案の１つの最適的な方案として、前記少なくとも一個のフック位置決めみぞが２つのフック位置決めみぞに設けられる。
本考案の１つの最適的な方案として、前記フック位置決めみぞが前記散熱嵌め輪の内側に対称的に設置される。
本考案の１つの最適的な方案として、前記散熱嵌め輪の外径面に複数の突起立てが設けられる。
【０００６】
本考案の１つの最適的な方案として、前記絶縁スリーブの外側に複数のブロックが設けられ、各ブロックの間に穴が設けられ、前記突起立てが当穴に挿し込めて連結される。
【０００７】
本考案の１つの最適的な方案として、前記電気回路制御素子がＰＣＢ電気回路板に設けられる。
【考案の効果】
【０００８】
前記技術方案が採用されて以下の技術効果を得る。
【０００９】
先ずに、散熱嵌め輪の内側に設けられるフック位置決めみぞが絶縁スリーブ上のフックに配合されて、散熱嵌め輪が絶縁スリーブに固定連結されるために、構造が簡単で、固定効果がよい。
【００１０】
次に、電気回路制御素子がフックの内側に設けられるみぞに挿し込め、絶縁スリーブが散熱嵌め輪の径に上方向に向いて剛性的に固定されることによって、フック連結の効果が強化される。
【００１１】
それに、散熱嵌め輪の外径面に突起立てが設けられるために、冷却効果を高めるだけでなく、且つ絶縁スリーブ上の穴に配合されることによって、更に絶縁スリーブと散熱嵌め輪とのスフック連結の効果が強化される。
【図面の簡単な説明】
【００１２】
【図１】本考案の前記フック連結式ランプソケットの散熱嵌め輪を示す図である。
【図２】本考案の前記フック連結式ランプソケットの絶縁スリーブを示す図である。
【図３】本考案の前記フック連結式ランプソケットの電気回路制御素子を示す図である。
【図４】本考案の前記フック連結式ランプソケットを示す図である。
【考案を実施するための形態】
【００１３】
以下には、図と実施の形態を見ながら本考案の技術方案を説明しようとする。
図１ないし図４のように、本考案の前記フック連結式ランプソケットには、散熱嵌め輪１と、絶縁スリーブ２と、電気回路制御素子３と、を具備する。その中、散熱嵌め輪１の内側に少なくとも一個のフック位置決めみぞ１１が設けられて、優先的に、散熱嵌め輪１の内側に二個のフック位置決めみぞ１１が設けられる。更に、フック位置決めみぞ１１が対称に設置される。散熱嵌め輪１の外径面に複数の突起立て１２が設けられて、散熱嵌め輪１の散熱面が増加され、よい冷却効果に到達される。絶縁スリーブ２の外径が散熱嵌め輪１の内径より小さく設けられるので、散熱嵌め輪１がらくに絶縁スリーブ２にセットされる。絶縁スリーブ２にフック位置決めみぞ１１の数と対応するフック２１が設けられ、フック２１が絶縁スリーブ２の径に上方向に向いて弾力性的に設けられて且つフック位置決めみぞ１１に固定連結され、フック２１の内側にみぞ２２が設けられる。優先的に、絶縁スリーブ２の外側に複数のブロック２３が設けられ、各ブロック２３の間に穴が設けられ、散熱嵌め輪１上の突起立て１２が当穴に挿し込めて連結されるために、フック連結の効果が高める。電気回路制御素子３は電気信号を制御して、フック２１の内側のブロック２３に挿し込めて、散熱嵌め輪１の径に上方向に向いて剛性的に固定されるから、その緩みを防ぐ。優先的に、電気回路制御素子３がＰＣＢ電気回路板に設けられる。
以上で述べたのはただ本考案の１つ実施の形態である。しかし、本考案のデザインアイディアはこれに限定されるものではなく、すなわち、本考案のアイディアに基づいて変形させることが可能であり、それらは本考案の範囲から排除するものではない。
【符号の説明】
【００１４】
１  散熱嵌め輪
１１  フック位置決めみぞ
１２  突起立て
２  絶縁スリーブ
２１  フック
２２  みぞ
２３  ブロック
３  電気回路制御素子
【図１】
0003173330.tif 000003
【図２】
0003173330.tif 000004
【図３】
0003173330.tif 000005
【図４】
0003173330.tif 000006